(57)【要約】【課題】装置本体に取り付けられている部品の位置を把握することができるクロマトグラフィーシステムを提供すること。【解決手段】クロマトグラフィーシステムは、液体の試料が通過する流路を有する装置本体と、流路の途中に配置され、試料を複数の成分に分離する分析カラムとを備え、複数の分析条件で試料の分析が可能なクロマトグラフィーシステムであって、装置本体に取り付けられ、交換可能な部品と、部品の装置本体に対する取り付け位置に関する第１位置情報ＩＦ３Ａを記憶する記憶部とを備える。【選択図】図３
2020183760.tif 000002
【特許請求の範囲】
【請求項１】
液体の試料が通過する流路を有する装置本体と、前記流路の途中に配置され、前記試料を複数の成分に分離する分析カラムとを備え、複数の分析条件で前記試料の分析が可能なクロマトグラフィーシステムであって、
前記装置本体に取り付けられ、交換可能な部品と、
前記部品の前記装置本体に対する取り付け位置に関する位置情報を記憶する記憶部とを備えるクロマトグラフィーシステム。
【請求項２】
前記交換可能な部品として、複数の同一の交換可能な部品を備え、
前記記憶部は、複数の同一の交換可能な部品の各々の取り付け位置に関する位置情報を記憶する、請求項１に記載のクロマトグラフィーシステム。
【請求項３】
前記記憶部は、前記装置本体に配置されている請求項１または２に記載のクロマトグラフィーシステム。
【請求項４】
前記装置本体が、送液装置、オートサンプラ、カラムオーブンおよび検出器を含む複数のユニットを備え、
前記記憶部は、前記送液装置、前記オートサンプラ、前記カラムオーブンおよび前記検出器の各々に設けられており、
前記各記憶部の内、前記交換可能な部品が取り付けられるユニットが備える前記記憶部に、取り付け位置に関する位置情報を記憶する、請求項３に記載のクロマトグラフィーシステム。
【請求項５】
前記記憶部は、前記部品の名称または前記部品が製造されたときに付与されたロット番号と、前記取り付け位置の名称とを、前記位置情報として記憶する請求項１から４のいずれかに記載のクロマトグラフィーシステム。
【請求項６】
前記記憶部に記憶されている前記部品の名称または前記ロット番号から、前記取り付け位置を検索する検索部を備える請求項５に記載のクロマトグラフィーシステム。
【請求項７】
前記部品の名称または前記ロット番号と、前記取り付け位置の名称とを表示する表示部を備える請求項５または６に記載のクロマトグラフィーシステム。
【発明の詳細な説明】
【技術分野】
【０００１】
本発明は、クロマトグラフィーシステムに関する。
【背景技術】
【０００２】
分析対象である移動相を分析カラムによって複数の成分、すなわち、分析物に分離するクロマトグラフィーシステムが知られている（例えば、特許文献１参照）。クロマトグラフィーシステムは、例えば、セルやバルブ等のような使用頻度（使用回数）に応じて、または、経時的に劣化した場合に交換される消耗部品が装置に組み込まれている。
【先行技術文献】
【特許文献】
【０００３】
【特許文献１】特開２００８−２０９３２７号公報
【発明の概要】
【発明が解決しようとする課題】
【０００４】
例えば消耗部品に不具合が生じたために、当該消耗部品にリコールがかかった場合、消耗部品の交換を要する。しかしながら、同じ消耗部品が異なる位置に複数組み込まれている場合、これらの消耗部品のうち、リコールされている消耗部品が装置のどこに組み込まれているのかを把握しておかなければ、当該消耗部品を探し当てて、交換することが困難となるという問題が生じる。【０００５】
この発明は上記課題を解決するためになされたものであり、装置本体に取り付けられている部品の位置を把握することができるクロマトグラフィーシステムを提供することにある。
【課題を解決するための手段】
【０００６】
本発明の第１の態様は、液体の試料が通過する流路を有する装置本体と、前記流路の途中に配置され、前記試料を複数の成分に分離する分析カラムとを備え、複数の分析条件で前記試料の分析が可能なクロマトグラフィーシステムであって、前記装置本体に取り付けられ、交換可能な部品と、前記部品の前記装置本体に対する取り付け位置に関する位置情報を記憶する記憶部とを備えるクロマトグラフィーシステムに関する。
【発明の効果】
【０００７】
本発明によれば、装置本体に取り付けられている交換可能な部品に例えばリコールがかけられている場合、記憶部によって、当該部品が装置本体のどこに取り付けられているのか、すなわち、装置本体での部品の位置を把握することができる。
【図面の簡単な説明】
【０００８】
【図１】図１は、本発明のクロマトグラフィーシステムの実施形態を示す概略図（ブロック図）である。
【図２】図２は、クロマトグラフィーシステムが備える装置本体に部品を取り付ける状態を示す斜視図である。
【図３】図３は、図１に示すクロマトグラフィーシステムが備える表示部に表示される画像の一例である。
【発明を実施するための形態】
【０００９】
以下、本発明のクロマトグラフィーシステムを添付図面に示す好適な実施形態に基づいて詳細に説明する。
図１は、本発明のクロマトグラフィーシステムの実施形態を示す概略図（ブロック図）である。図２は、クロマトグラフィーシステムが備える装置本体に部品を取り付ける状態を示す斜視図である。図３は、図１に示すクロマトグラフィーシステムが備える表示部に表示される画像の一例である。
【００１０】
以下では、一例として、クロマトグラフィーシステム１を、移動相Ｑの一種である液体の試料に対して複数の分析条件で分析を行う液体クロマトグラフィーシステムに適用した場合について説明するが、クロマトグラフィーシステム１は、超臨界流体クロマトグラフィーシステムやガスクロマトグラフィーシステムに対しても同様に適用することができる。
【００１１】
図１に示すように、クロマトグラフィーシステム１は、当該クロマトグラフィーシステム１での装置本体１１を構成する送液装置２、オートサンプラ４、カラムオーブン６、検出器８およびシステム管理装置１０と、装置本体１１に対して着脱自在に交換される分析カラム１２１とを備えている。
【００１２】
送液装置２、オートサンプラ４、カラムオーブン６および検出器８は、移動相Ｑが流れる方向に沿って、すなわち、上流側から下流側に向かって、この順に配置されている。また、送液装置２、オートサンプラ４、カラムオーブン６および検出器８は、流路１３を構成する配管を介して、接続されている。移動相Ｑは、流路１３を通過することができる。
なお、移動相Ｑとしては、分析対象である試料の他に、例えば、分析時に用いられる緩衝液や、固定相を洗浄する有機溶媒等の洗浄液等が挙げられる。
【００１３】
また、システム管理装置１０は、送液装置２、オートサンプラ４、カラムオーブン６および検出器８と電気的に接続されている。このシステム管理装置１０は、例えば、論理演算を実行するＣＰＵ、送液装置２等の制御に必要な動作プログラムが格納されたＲＯＭ、制御時にデータ等が一時的にストアされるＲＡＭ等から構成され、クロマトグラフィーシステム１全体を制御することができる。
【００１４】
送液装置２は、例えば送液ポンプを有し、この送液ポンプによって、流路１３内で移動相Ｑを下流側に向かって移送することができる。また、送液ポンプの回転数を変更することにより、移動相Ｑの移送速度を調整することができる。
オートサンプラ４は、流路１３に移動相Ｑを注入するためのものである。
カラムオーブン６には、分析カラム１２１を装填することができる。これにより、分析カラム１２１は、流路１３の途中に配置された状態となり、オートサンプラ４から注入された移動相Ｑが試料の場合、当該試料を複数の成分に分離することができる。
【００１５】
また、カラムオーブン６は、例えば通電により発熱するヒータを有し、移動相Ｑが試料の場合、このヒータによって分析カラム１２１を試料ごと加熱することができる。これにより、試料の温度を所定の温度に調節することができる。
検出器８は、分析カラム１２１で分離された成分を検出するためのものである。
【００１６】
また、図１に示すように、クロマトグラフィーシステム１は、システム管理装置１０を備える。このシステム管理装置１０は、分析条件設定部１４と、判断部１５と、入力部１７と、表示部１８と、第１記憶部１６とを備える。
また、クロマトグラフィーシステム１では、分析カラム１２１は、分析カラム１２１に付された第２記憶部１２２とともにカラムユニット１２を構成する。分析カラム１２１が交換される際には、第２記憶部１２２ごと、その交換が行われる。
【００１７】
分析条件設定部１４は、分析条件を複数設定することができる。分析条件には、例えば、試料の種類、分析カラム１２１に充填されている固定相の種類等が含まれる。これにより、クロマトグラフィーシステム１は、試料の分析を複数の分析条件で行うことができる。
【００１８】
例えば、分析対象である試料が２種類がある場合、一方の試料の分析を行うときには、分析条件設定部１４によって第１分析条件が設定され、他方の試料の分析を行うときには、分析条件設定部１４によって、第１分析条件と異なる第２分析条件が設定される。第１分析条件では、一方の試料の分析に適合した分析カラム１２１が用いられ、第２分析条件では、他方の試料の分析に適合した分析カラム１２１が用いられる。
【００１９】
判断部１５は、例えば、分析条件設定部１４によって設定された分析条件が選択可能か否かの判断等を行う。
第１記憶部１６には、移動相Ｑの種類に関する移動相情報が予め記憶されている。第１記憶部１６は、移動相情報を、例えば、各移動相Ｑの名称や番号等で記憶することができる。
第２記憶部１２２には、分析カラム１２１の個体情報である第２情報が記憶されている。本実施形態では、分析カラム１２１は、内部に充填されている固定相の種類によって特定される。そして、第２情報により、分析カラム１２１自体を特定することができる。
【００２０】
図１に示すように、送液装置２、オートサンプラ４、カラムオーブン６および検出器８には、それぞれ、後述する交換可能な部品３の装置本体１１に対する取り付け位置に関する位置情報を記憶する第３記憶部１９が配置されている。
なお、交換可能な部品３と異なる交換不可能部品に関する情報については、システム管理装置１０の第１記憶部１６に記憶することができる。
【００２１】
表示部１８は、液晶画面を有し、第１記憶部１６に記憶された移動相情報等を液晶画面に表示することができる。液晶画面は、タッチパネル機能を有していてもよい。
入力部１７では、分析条件設定部１４への分析条件の設定操作、すなわち、入力操作を行うことができる。表示部１８の液晶画面がタッチパネル機能を有する場合、表示部１８は、入力部１７を兼ねることができる。これにより、クロマトグラフィーシステム１の構成を簡単にすることができる。なお、表示部１８と入力部１７とは、別構成となっていてもよい。
【００２２】
図２に示すように、装置本体１１には、装置本体１１を構成する部品３が着脱自在に取り付けられている。部品３は、複数の部材を有し、これら部材同士を組み立てることにより構成された組立体であってもよいし、部材単体であってもよい。なお、部品３としては、特に限定されず、例えば、送液装置２のポンプに内蔵されているプランジャやプランジャシールや、その他、セルやバルブのように、経時的に劣化した場合に交換される部品等が挙げられる。以下では、代表的に部品３がプランジャの場合を例に挙げる。この場合、本実施形態では、部品３が送液装置２の異なる位置に２つ取り付けられているとする。以下、これら２つの取り付け位置のうち、一方の取り付け位置を「第１取り付け位置Ｐ１」と言い、他方の取り付け位置を「第２取り付け位置Ｐ２」と言う。また、送液装置２に配置された第３記憶部１９を「第３記憶部１９Ａ」と言う。
【００２３】
例えば部品３にリコールがかかった場合、当該部品３の交換を要する。ここで「リコール」とは、部品３の設計や製造上の過誤等により欠陥があることが判明した場合に、法令の規定、または、部品３の製造者や販売者の判断で、無償の交換等の措置を行うことである。
【００２４】
しかしながら、リコールされている部品３が２つの部品３のうちの一方である場合、このリコールされている部品３が第１取り付け位置Ｐ１および第２取り付け位置Ｐ２のうちのどちらに取り付けられているのかを把握しておかなければ、当該リコールされている部品３を探し当てて、交換することが困難となるという問題が生じる。
【００２５】
そこで、クロマトグラフィーシステム１は、このような不具合を解消可能に構成されている。以下、この構成および作用について説明する。また、リコールされている部品３を「部品３Ａ」と言い、リコールされていない部品３を「部品３Ｂ」と言う。また、既に部品３Ａには、当該部品３Ａが製造されたときにロット番号ＬＮ３Ａが付与されている。これと同様に、部品３Ｂには、当該部品３Ｂが製造されたときにロット番号ＬＮ３Ｂが付与されている。
【００２６】
送液装置２の第３記憶部１９Ａは、部品３Ａの第１取り付け位置Ｐ１に関する第１位置情報ＩＦ３Ａと、部品３Ｂの第２取り付け位置Ｐ２に関する第２位置情報ＩＦ３Ｂとを記憶する。
図３に示すように、第１位置情報ＩＦ３Ａには、部品３Ａの名称ＮＡ３Ａと、ロット番号ＬＮ３Ａと、第１取り付け位置Ｐ１の位置名称（名称）ＰＮＡ３Ａとが含まれる。これにより、第３記憶部１９Ａは、第１位置情報ＩＦ３Ａとして、部品３Ａの名称ＮＡ３Ａ、ロット番号ＬＮ３Ａおよび位置名称ＰＮＡ３Ａを記憶することができる。なお、第１位置情報ＩＦ３Ａには、位置名称ＰＮＡ３Ａに対応する第１取り付け位置Ｐ１のＩＤ番号が含まれていてもよい。
【００２７】
また、第２位置情報ＩＦ３Ｂには、部品３Ｂの名称ＮＡ３Ｂと、ロット番号ＬＮ３Ｂと、第２取り付け位置Ｐ２の位置名称（名称）ＰＮＡ３Ｂとが含まれる。これにより、第３記憶部１９Ａは、第２位置情報ＩＦ３Ｂとして、部品３Ｂの名称ＮＡ３Ｂ、ロット番号ＬＮ３Ｂおよび位置名称ＰＮＡ３Ｂを記憶することができる。なお、第２位置情報ＩＦ３Ｂには、位置名称ＰＮＡ３Ｂに対応する第２取り付け位置Ｐ２のＩＤ番号が含まれていてもよい。
【００２８】
クロマトグラフィーシステム１では、第３記憶部１９への第１位置情報ＩＦ３Ａおよび第２位置情報ＩＦ３Ｂの入力は、入力部１７を介して行うことができる。なお、第３記憶部１９への入力は、本実施形態ではクロマトグラフィーシステム１を用いて分析作業を行う作業者の手動による入力であるが、これに限定されず、自動入力であってもよい。また、第３記憶部１９への入力は、入力部１７からの入力に限定されず、例えば、後述のクラウド装置５からの入力であってもよい。
【００２９】
図１に示すように、クロマトグラフィーシステム１は、例えば、論理演算を実行するＣＰＵ、その他、ＲＯＭやＲＡＭ等で構成されたクラウド装置（クラウドコンピュータ）５を備える。クラウド装置５は、装置本体１１のシステム管理装置１０に電気的に接続されている。この接続方法としては、特に限定されず、例えば、有線による方法、無線による方法、または、ネットワークを介する方法等であってもよい。
【００３０】
クラウド装置５は、検索部５１と、表示部５３と、を備える。
検索部５１は、第３記憶部１９に記憶されている第１位置情報ＩＦ３Ａまたは第２位置情報ＩＦ３Ｂに基づいて、交換対象である部品３の取り付け位置を検索することができる。
なお、第３記憶部１９に記憶された第１位置情報ＩＦ３Ａおよび第２位置情報ＩＦ３Ｂは、システム管理装置１０を経由して、検索部５１に送信される。これにより、クラウド装置５では、交換対象である部品３の取り付け位置が把握される。
【００３１】
また、第１位置情報ＩＦ３Ａが検索部５１に送信されるタイミングとしては、例えば、部品３Ａが交換されたときである。これと同様に、第２位置情報ＩＦ３Ｂが検索部５１に送信されるタイミングとしては、例えば、部品３Ｂが交換されたときである。その他のタイミングとしては、例えば、システム管理装置１０と、送液装置２、オートサンプラ４、カラムオーブン６および検出器８とが通信可能な状態となるとき等がある。
表示部５３は、検索部５１と電気的に接続されている。表示部５３は、液晶画面を有し、検索部５１での検索結果を液晶画面に表示することができる。
【００３２】
例えば２つの部品３のうちの一方の部品３にリコールがかかり、部品３Ａがリコール品であると特定された場合、クラウド装置５の検索部５１を作動させて、第１位置情報ＩＦ３Ａ、すなわち、ロット番号ＬＮ３Ａの検索を開始する。
【００３３】
そして、検索部５１による検索結果は、一例として、図３に示すような表形式で表示部５３に表示される。表示部５３には、第１位置情報ＩＦ３Ａと第２位置情報ＩＦ３Ｂとが表示されており、特に、第１位置情報ＩＦ３Ａに含まれるロット番号ＬＮ３Ａおよび位置名称ＰＮＡ３Ａが、例えばハイライト表示により強調して表示されている。
【００３４】
このような構成により、位置名称ＰＮＡ３Ａを確認して、当該位置名称ＰＮＡ３Ａに対応する第１取り付け位置Ｐ１を把握することができる。これにより、リコールされている部品３Ａが第１取り付け位置Ｐ１および第２取り付け位置Ｐ２のうちのどちらに取り付けられているのかを把握することができる。よって、部品３Ａを容易に探し当てることができ、リコールされていない新たな部品３Ａの交換作業を迅速に行うことができる。クロマトグラフィーシステム１では、部品３Ａが新たな部品３Ａに交換されると、当該新たな部品３Ａのロット番号ＬＮ３Ａが第３記憶部１９に書き換えられる。また、クロマトグラフィーシステム１では、リコールが生じてから交換までの時間をできる限り短くすることができ、よって、クロマトグラフィーシステム１の稼働率の低減を抑制することができる。
【００３５】
部品３Ａを交換するときには、表示部１８に表示された交換ボタンＢＴ３Ａを操作する。これにより、表示部１８には、入力部１７としての、ロット番号ＬＮ３Ａを入力するフォーム（図示せず）が表示される。このフォームにロット番号ＬＮ３Ａを入力すれば、当該ロット番号ＬＮ３Ａが第３記録部１９に記録される。なお、部品３Ｂを交換するときには、表示部１８に表示された交換ボタンＢＴ３Ｂを操作する。
【００３６】
また、第１位置情報ＩＦ３Ａおよび第２位置情報ＩＦ３Ｂは、本実施形態では第１記憶部１６に記憶されているが、これに限定されず、例えば、クラウド装置５における記憶部（図示せず）に記憶されていてもよい。
第１位置情報ＩＦ３Ａおよび第２位置情報ＩＦ３Ｂには、さらに、部品３の製品番号等も含まれていてもよい。
【００３７】
また、部品３Ａの名称ＮＡ３Ｂと、部品３Ｂの名称ＮＡ３Ｂとは、同じ名称であるが、これに限定されず、互いに異ならせてもよい。
また、クラウド装置５は、複数の装置本体１１と電気的に接続することもできる。これにより、各装置本体１１における部品３の位置情報を一括して検索することができる。
【００３８】
また、検索部５１での検索結果は、システム管理装置１０の表示部１８に表示されてもよい。この場合、検索部５１での検索結果は、当該検索部５１から表示部１８に伝達される。これにより、検索部５１での検索結果を表示部１８に表示することができる。
【００３９】
また、位置情報の検索は、本実施形態ではクラウド装置５によって行われるが、これに限定されない。例えば、装置本体１１が検索部５１の機能を有し、位置情報の検索を行ってもよい。
【００４０】
以上、本発明のクロマトグラフィーシステムを図示の実施形態について説明したが、本発明は、これに限定されるものではなく、クロマトグラフィーシステムを構成する各部は、同様の機能を発揮し得る任意の構成のものと置換することができる。また、任意の構成物が付加されていてもよい。
【００４１】
［態様］
上述した複数の例示的な実施形態は、以下の態様の具体例であることが当業者により理解される。
【００４２】
（第１項）一態様に係るクロマトグラフィーシステム（１）は、
液体の試料が通過する流路（１３）を有する装置本体（１１）と、前記流路（１３）の途中に配置され、前記試料を複数の成分に分離する分析カラム（１２１）とを備え、複数の分析条件で前記試料の分析が可能なクロマトグラフィーシステム（１）であって、
前記装置本体（１１）に取り付けられ、交換可能な部品（３）と、
前記部品（３）の前記装置本体（１１）に対する取り付け位置に関する位置情報を記憶する記憶部（１９）とを備える。
【００４３】
第１項に記載のクロマトグラフィーシステムによれば、装置本体に取り付けられている交換可能な部品に例えばリコールがかけられている場合、記憶部に記憶されている位置情報に基づいて、当該部品が装置本体のどこに取り付けられているのか、すなわち、装置本体での部品の位置を把握することができる。
（第２項）第１項のクロマトグラフィーシステム（１）は、
前記交換可能な部品（３）として、複数の同一の交換可能な部品（３Ａ、３Ｂ）を備え、
前記記憶部（１９）は、複数の同一の交換可能な部品（３Ａ、３Ｂ）の各々の取り付け位置に関する位置情報（ＩＦ３Ａ、ＩＦ３Ｂ）を記憶する、請求項１に記載のクロマトグラフィーシステム。
【００４４】
第２項に記載のクロマトグラフィーシステムによれば、装置本体に取り付けられている複数の同一の交換可能な部品に例えばリコールがかけられている場合、記憶部に記憶されている位置情報に基づいて、当該部品が装置本体のどこに取り付けられているのか、すなわち、装置本体での部品の位置を把握することができる。
【００４５】
（第３項）第１項または第２項に記載のクロマトグラフィーシステム（１）は、
前記記憶部（１９）は、前記装置本体（１１）に配置されている。
【００４６】
第３項に記載のクロマトグラフィーシステムによれば、例えば、記憶部を装置本体内の複数の箇所に分散して配置することができる。
【００４７】
（第４項）第３項に記載のクロマトグラフィーシステム（１）は、
前記装置本体（１１）が、送液装置（２）、オートサンプラ（４）、カラムオーブン（６）および検出器（８）を含む複数のユニットを備え、
前記記憶部（１９）は、前記送液装置（２）、前記オートサンプラ（４）、前記カラムオーブン（６）および前記検出器（８）の各々に設けられており、
前記各記憶部（１９）の内、前記交換可能な部品（３）が取り付けられるユニットが備える前記記憶部（１９）に、取り付け位置に関する位置情報（（８））を記憶する、請求項３に記載のクロマトグラフィーシステム。
【００４８】
第４項に記載のクロマトグラフィーシステムによれば、送液装置、オートサンプラ、カラムオーブンおよび検出器に取り付けられている交換可能な部品に例えばリコールがかけられている場合、各記憶部に記憶されている位置情報に基づいて、当該部品が送液装置、オートサンプラ、カラムオーブンおよび検出器のどこに取り付けられているのか、すなわち、送液装置、オートサンプラ、カラムオーブンおよび検出器での部品の位置を把握することができる。
【００４９】
（第５項）第１項から第４項のいずれか１つに記載のクロマトグラフィーシステム（１）は、
前記記憶部（１９）は、前記部品（３）の名称または前記部品（３）が製造されたときに付与されたロット番号（ＬＮ３Ａ等）と、前記取り付け位置の名称とを、前記位置情報として記憶する。
【００５０】
第５項に記載のクロマトグラフィーシステムによれば、位置情報の管理を容易かつ正確にに行うことができる。
【００５１】
（第６項）第５項に記載のクロマトグラフィーシステム（１）は、
前記記憶部（１９）に記憶されている前記部品（３）の名称または前記ロット番号（ＬＮ３Ａ等）から、前記取り付け位置を検索する検索部を備える。
【００５２】
第６項に記載のクロマトグラフィーシステムによれば、部品の取り付け位置の検索を迅速に行うことができる。
【００５３】
（第７項）第５項または第６項に記載のクロマトグラフィーシステム（１）は、
前記部品（３）の名称または前記ロット番号（ＬＮ３Ａ等）と、前記取り付け位置の名称とを表示する表示部（１８）を備える。
【００５４】
第７項に記載のクロマトグラフィーシステムによれば、表示部を介して、部品の位置を容易かつ正確に把握することができる。
【符号の説明】
【００５５】
１            クロマトグラフィーシステム
２            送液装置
３            部品
３Ａ          部品
３Ｂ          部品
４            オートサンプラ
５            クラウド装置（クラウドコンピュータ）
５１          検索部
５３          表示部
６            カラムオーブン
８            検出器
１０          システム管理装置
１１          装置本体
１２          カラムユニット
１２１        分析カラム
１２２        第２記憶部
１３          流路
１４          分析条件設定部
１５          判断部
１６          第１記憶部
１７          入力部
１８          表示部
１９          第３記憶部
１９Ａ        第３記憶部
ＢＴ３Ａ      交換ボタン
ＢＴ３Ｂ      交換ボタン
Ｐ１          第１取り付け位置
Ｐ２          第２取り付け位置
ＩＦ３Ａ      第１位置情報
ＩＦ３Ｂ      第２位置情報
ＬＮ３Ａ    ロット番号
ＬＮ３Ｂ    ロット番号
ＮＡ３Ａ      名称
ＮＡ３Ｂ      名称
ＰＮＡ３Ａ    位置名称（名称）
ＰＮＡ３Ｂ    位置名称（名称）
Ｑ            移動相
【図１】
2020183760.tif 000003
【図２】
2020183760.tif 000004
【図３】
2020183760.tif 000005
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
液体の試料が通過する流路を有する装置本体と、前記流路の途中に配置され、前記試料を複数の成分に分離する分析カラムとを備え、複数の分析条件で前記試料の分析が可能なクロマトグラフィーシステムであって、
前記装置本体に取り付けられ、交換可能な部品と、
前記装置本体に配置され、前記部品の前記装置本体に対する取り付け位置に関する位置情報を記憶する記憶部とを備えるクロマトグラフィーシステム。
【請求項２】
前記交換可能な部品として、複数の同一の交換可能な部品を備え、
前記記憶部は、前記複数の同一の交換可能な部品の各々の取り付け位置に関する位置情報を記憶する、請求項１に記載のクロマトグラフィーシステム。
【請求項３】
前記装置本体が、送液装置、オートサンプラ、カラムオーブンおよび検出器を含む複数のユニットを備え、
前記記憶部は、前記送液装置、前記オートサンプラ、前記カラムオーブンおよび前記検出器の各々に設けられており、
前記各記憶部の内、前記交換可能な部品が取り付けられるユニットが備える前記記憶部に、取り付け位置に関する位置情報を記憶する、請求項１に記載のクロマトグラフィーシステム。
【請求項４】
前記記憶部は、前記部品の名称または前記部品が製造されたときに付与されたロット番号と、前記取り付け位置の名称とを、前記位置情報として記憶する請求項１から３のいずれかに記載のクロマトグラフィーシステム。
【請求項５】
前記記憶部に記憶されている前記部品の名称または前記ロット番号から、前記取り付け位置を検索する検索部を備える請求項４に記載のクロマトグラフィーシステム。
【請求項６】
前記部品の名称または前記ロット番号と、前記取り付け位置の名称とを表示する表示部を備える請求項４または５に記載のクロマトグラフィーシステム。
【請求項７】
前記送液装置、前記オートサンプラ、前記カラムオーブンおよび前記検出器と電気的に接続されたシステム管理装置を備え、前記システム管理装置が備える記憶部に前記部品の前記装置本体に対する取り付け位置に関する位置情報を記憶する請求項３から６のいずれかに記載のクロマトグラフィーシステム。
【請求項８】
前記システム管理装置と無線による方法、有線による方法、またはネットワークを介する方法を含む電気的な方法で接続され、前記部品の前記装置本体に対する取り付け位置に関する位置情報を前記システム管理装置を経由して取得するクラウド装置を備える請求項７に記載のクロマトグラフィーシステム。
【手続補正２】
【補正対象書類名】明細書
【補正対象項目名】０００６
【補正方法】変更
【補正の内容】
【０００６】
本発明の第１の態様は、液体の試料が通過する流路を有する装置本体と、前記流路の途中に配置され、前記試料を複数の成分に分離する分析カラムとを備え、複数の分析条件で前記試料の分析が可能なクロマトグラフィーシステムであって、前記装置本体に取り付けられ、交換可能な部品と、前記装置本体に配置され、前記部品の前記装置本体に対する取り付け位置に関する位置情報を記憶する記憶部とを備えるクロマトグラフィーシステムに関する。
【国際調査報告】
2020183760.tif 000006
2020183760.tif 000007
2020183760.tif 000008
2020183760.tif 000009